(57)【要約】【課題】コイルからの漏れ磁束を抑制できると共に、設置面積も低減できる電磁機器を提供する。【解決手段】多段に積み上げられた複数の電磁部品を具備する多段構造電磁機器１０である。複数の電磁部品１１，２１のそれぞれは、外周部鉄心１９と、外周部鉄心の内面側において周方向に間隔をおいて配列された少なくとも三つの脚部鉄心１５a〜１７ａと、少なくとも三つの脚部鉄心のそれぞれに巻き回されたコイル１５ｂ〜１７ｂと、を有し、少なくとも三つの脚部鉄心１５ａ〜１７ａのそれぞれは、コイルの巻き軸線の方向における一方の端部が外周部鉄心１９に磁気的に結合されると共に、他方の端部が、他の脚部鉄心における前記他方の端部に磁気的に結合するように配置され、一つの段の電磁部品１１のコイルと、他の段の電磁部品２１のコイルは、それぞれ、直列に接続されている。【選択図】図１Ａ
2019165145.tif 000002
【特許請求の範囲】
【請求項１】
多段に積み上げられた複数の電磁部品を具備し、
前記複数の電磁部品のそれぞれは、
外周部鉄心と、
前記外周部鉄心の内面側において周方向に間隔をおいて配列された少なくとも三つの脚部鉄心と、
前記少なくとも三つの脚部鉄心のそれぞれに巻き回されたコイルと、を有し、
前記少なくとも三つの脚部鉄心のそれぞれは、前記コイルの巻き軸線の方向における一方の端部が前記外周部鉄心に磁気的に結合されると共に、前記巻き軸線の方向における他方の端部が、前記少なくとも三つの脚部鉄心のうちの他の脚部鉄心における前記他方の端部に磁気的に結合するように配置され、
前記多段に積み上げられた前記複数の電磁部品のうち一つの段の電磁部品の前記少なくとも三つの脚部鉄心に巻回されたコイルと、前記多段に積み上げられた前記複数の電磁部品のうち他の段の電磁部品の前記少なくとも三つの脚部鉄心に巻回されたコイルは、それぞれ、直列に接続されている、
多段構造電磁機器。
【請求項２】
前記一つの段の電磁部品の前記少なくとも三つの脚部鉄心の数と、前記他の段の電磁部品の前記少なくとも三つの脚部鉄心の数とは同数である、請求項１に記載の多段構造電磁機器。
【請求項３】
前記複数の電磁部品は、前記外周部鉄心及び前記少なくとも三つの脚部鉄心の形状及びサイズ、及び、前記コイルの巻き数に関し同一の構成である、請求項１又は２に記載の多段構造電磁機器。
【請求項４】
前記複数の電磁部品のそれぞれは、前記少なくとも三つの脚部鉄心のコイルの前記巻き軸線が同一平面内に含まれるように構成され、
前記複数の電磁部品は、前記同一平面と垂直な方向に沿って見たときに互いに重なり合うように積み上げられている、請求項１から３のいずれか一項に記載の多段構造電磁機器。
【請求項５】
前記複数の電磁部品のそれぞれにおける前記少なくとも三つの脚部鉄心の数は３の倍数である、請求項１から４のいずれか一項に記載の多段構造電磁機器。
【請求項６】
前記複数の電磁部品のそれぞれにおける前記少なくとも三つの脚部鉄心の数は４以上の偶数である、請求項１から４のいずれか一項に記載の多段構造電磁機器。
【請求項７】
前記コイルは、１次コイル及び２次コイルの少なくとも一方を含む、請求項１から６のいずれか一項に記載の多段構造電磁機器。
【請求項８】
前記複数の電磁部品は変圧器を構成する、請求項１から７のいずれか一項に記載の多段構造電磁機器。
【発明の詳細な説明】
【技術分野】
【０００１】
本発明は、電磁機器、例えば三相変圧器、単相変圧器等に関する。
【背景技術】
【０００２】
従来、Ｕ字形状又はＥ字形状の鉄心とその鉄心に巻回されたコイルとを含む変圧器が使用されている。このような変圧器ではコイルが変圧器の外部に露出しているため、コイルから漏れ磁束が発生するという問題を有している。このような漏れ磁束は、コイル近傍の金属部分に渦電流を発生させ、それにより変圧器の金属部分を発熱させる要因となり得る。一般には、コイル近傍にシールド板を配置することにより、このような漏れ磁束を抑制することが行われる（例えば、特許文献１参照）。
【０００３】
また、変圧器では、設置面積を低減できる構成であることが望まれる。特許文献２には、三脚鉄心を用いた多重変圧器についてではあるが、設置面積の低減に関して、「この発明は前述のように、両側脚と中央脚との両端が端部継鉄で接合された三脚鉄心の両側脚の長手方向が垂直方向となるように配設されるとともに、前記両側脚に前記巻線が巻回される。前記巻線間には両側脚と中央脚とを接合する中間継鉄が配される。前記三脚鉄心が各相ごとに１台ずつ設けられ、前記各三脚鉄心にそれぞれ各相の巻線が巻回されるようにすると、例えば三相の場合、三脚鉄心は３台で済む。これにより、従来の図５の装置より、大幅に設置面積が縮小され、用地難が解消される。六多重変圧器の場合は、設置面積が半分になる。」と記載されている（段落００２１参照）。
【先行技術文献】
【特許文献】
【０００４】
【特許文献１】特公平５−５２６５０号公報
【特許文献２】特開平９−１２０９１９号公報
【発明の概要】
【発明が解決しようとする課題】
【０００５】
変圧器等の電磁機器において、コイルからの漏れ磁束を抑制できると共に、設置面積も低減できる構成であることが望まれている。
【課題を解決するための手段】
【０００６】
本開示の一態様は、多段に積み上げられた複数の電磁部品を具備し、前記複数の電磁部品のそれぞれは、外周部鉄心と、前記外周部鉄心の内面側において周方向に間隔をおいて配列された少なくとも三つの脚部鉄心と、前記少なくとも三つの脚部鉄心のそれぞれに巻き回されたコイルと、を有し、前記少なくとも三つの脚部鉄心のそれぞれは、前記コイルの巻き軸線の方向における一方の端部が前記外周部鉄心に磁気的に結合されると共に、前記巻き軸線の方向における他方の端部が、前記少なくとも三つの脚部鉄心のうちの他の脚部鉄心における前記他方の端部に磁気的に結合するように配置され、前記多段に積み上げられた前記複数の電磁部品のうち一つの段の電磁部品の前記少なくとも三つの脚部鉄心に巻回されたコイルと、前記多段に積み上げられた前記複数の電磁部品のうち他の段の電磁部品の前記少なくとも三つの脚部鉄心に巻回されたコイルは、それぞれ、直列に接続されている、多段構造電磁機器である。
【発明の効果】
【０００７】
上記態様によれば、電磁機器として、コイルからの漏れ磁束を抑制できると共に、設置面積も低減することが可能である。
【０００８】
添付図面に示される本発明の典型的な実施形態の詳細な説明から、本発明のこれらの目的、特徴および利点ならびに他の目的、特徴および利点がさらに明確になるであろう。
【図面の簡単な説明】
【０００９】
【図１Ａ】第１実施形態に係る多段構造多相変圧器の斜視図である。
【図１Ｂ】図１Ａの多段構造多相変圧器を上方から見た場合の平面図である。
【図２】図１Ａの多段構造多相変圧器の上下に重なるコイルにおける、１次側と２次側の電磁的な結合を表すイメージ図である。
【図３Ａ】図１Ａの多段構造多相変圧器を筐体フレームに組み付けた状態を表す斜視図である。
【図３Ｂ】図１Ａの多段構造多相変圧器を筐体フレームに組み付けた状態を表す側面図である。
【図４】図１Ａの多段構造多相変圧器の三相変圧器としての使用例を示す図である。
【図５】第２実施形態に係る多段構造多相変圧器の一つの層を構成する多相変圧器を水平方向に平行な面で切断した場合の断面図を示す。
【図６】第３実施形態に係る多段構造多相変圧器の一つの層を構成する多相変圧器を水平方向に平行な面で切断した場合の断面図を示す。
【図７Ａ】比較例としての１段構成の多相変圧器の斜視図である。
【図７Ｂ】図７Ａの多相変圧器を上方から見た平面図である。
【図８】図７Ａの多相変圧器のコイルにおける、各相の１次側と２次側の電磁的な結合を表すイメージ図である。
【発明を実施するための形態】
【００１０】
以下、本開示の実施形態について図面を参照して説明する。参照する図面において、同様の構成部分または機能部分には同様の参照符号が付けられている。理解を容易にするために、これらの図面は縮尺を適宜変更している。また、図面に示される形態は本発明を実施するための一つの例であり、本発明は図示された形態に限定されるものではない。本発明の実施形態に係る電磁機器は、例えば変圧器、リアクトル等である。
【００１１】
第１実施形態
図１Ａは第１実施形態に係る多段構造電磁機器１０の斜視図であり、図１Ｂは、多段構造電磁機器１０を上方から見た場合の平面図である。なお、多段構造電磁機器１０は多相変圧器（具体的には三相変圧器）として用いられるものであるため、以下では、多段構造多相変圧器１０と呼ぶこととする。図１Ａ，１Ｂに示されるように、多段構造多相変圧器１０は、２つの多相変圧器（電磁部品）１１及び２１を上下２段に重ねた構造を有している。多相変圧器１１及び２１は、同一の構造を有している。以下では、多相変圧器１１の構造について詳細に説明するが、その説明は、多相変圧器２１についても同様に当てはまる。
【００１２】
図１Ａ及び図１Ｂに示すように、多相変圧器１１は、平面視において六角形の外形を有する外周部鉄心１９と、外周部鉄心１９の内側に配置された三つの鉄心コイル１５〜１７とを有する。三つの鉄心コイル１５〜１７は、それぞれ、鉄心（脚部鉄心）１５ａ〜１７ａと、鉄心１５ａ〜１７ａに巻回されたコイル１５ｂ〜１７ｂとを有する。各コイル１５ｂ〜１７ｂは、１次コイル及び２次コイルの両方を含み得る。鉄心１５ａ〜１７ａは、外周部鉄心１９と一体に形成されても良く、或いは外周部鉄心１９とは別体として構成され、外周部鉄心１９と接触或いは磁気的に結合するように配置されていても良い。
【００１３】
３つの鉄心コイル１５〜１７は、同一のサイズ及び形状を有し、外周部鉄心１９の内側において、外周部鉄心１９の中心部Ｐの周りの周方向において等間隔に配置されている。鉄心コイル１５〜１７の鉄心１５ａ〜１７ａの中心部Ｐ側の先端部同士は互いに密着している。この場合、３つの鉄心コイル１５〜１７の中心軸線（巻き軸線）ｌ0のうち、隣接する２つの中心軸線ｌ0は１２０度の角度をなすように中心部Ｐで交わる。また、３つの鉄心コイル１５〜１７の中心軸線ｌ0に沿って伸びる鉄心１５ａ〜１７ａのそれぞれの中心部Ｐ側の先端部は、中心部Ｐに向かって収斂する形状となっており、先端部は約１２０度の角度を形成している。このように３つの鉄心コイル１５〜１７を外周部鉄心１９で取り囲む構成とすることにより、各コイル１５ｂ〜１７ｂからの磁束が外周部鉄心１９の外部に漏洩するのを抑制することができる。したがって、多相変圧器１０の外部にシールド板を配置する必要性をなくすことができ、コスト低減を実現することができる。また、上記構成を有する多相変圧器１０を三相変圧器として使用した場合には、三相の磁路長が構造的に等しくなるという利点がある。
【００１４】
なお、図１Ａ及び１Ｂに示すように、各多相変圧器１１，２１を構成する鉄心は、同一のサイズ及び形状を有する３つの鉄心部分９から構成されていても良い。各多相変圧器１１，２１の鉄心を三分割構成とすることにより、多段構造多相変圧器１０を効率的に組み立てることが可能になる。各鉄心部分９は、例えば、複数の鉄板、炭素鋼板、電磁鋼板を積層して構成される。
【００１５】
本実施形態に係る多段構造多相変圧器１０では、多相変圧器１１及び２１を重ねた状態において上下に重なる２つのコイル（例えば、図１Ａ示したコイル１７ｂとコイル２７ｂ）を直列に接続して使用する。すなわち、上下に重なったコイルを直列接続して一つの相のコイルが構成される。なお、コイル１７ｂ及び２７ｂがそれぞれ１次巻き線及び２次巻き線を有する場合には、コイル１７ｂ中の１次巻き線とコイル２７ｂ中の１次巻き線を直列接続し、コイル１７ｂ中の２次巻き線とコイル２７ｂ中の２次巻き線を直列接続する。このように結線を行うことにより、図２にイメージ図として示したように、１次側のコイルとしては上段のコイル（１７ｂ）中の１次巻き線の巻き数と下段のコイル（１７ｂ）中の１次巻き線の巻き数の合計の巻き数を確保し、また、２次側のコイルとしては上段のコイル（１７ｂ）中の２次巻き線の巻き数と下段のコイル（１７ｂ）中の２次巻き線の巻き数の合計の巻き数を確保した状態で、１次側と２次側とを電磁的に結合することができることとなる。すなわち、本実施形態に係る多段構造多相変圧器１０では、各相の巻き数は、上下に重なるコイルの巻き数を合計したものとすることができる。
【００１６】
本実施形態に係る多段構造多相変圧器１０は、２つの多相変圧器１１及び２１を上下２段に重ねたこと（すなわち、２つの多相変圧器１１及び２１を、各コイル１５ｂ〜１７ｂの巻き軸線ｌ0を含む平面と垂直な方向に沿って見たときに互いに重なり合うように積み上げたこと）により設置面積を低減できるという有利さを有する。多段構造多相変圧器１０の設置面積の低減に関する有利さを説明する為に、図７Ａ及び図７Ｂに比較例として示した１段構成の多相変圧器と対比して説明する。図７Ａは比較例としての１段構成の多相変圧器７０の斜視図、図７Ｂは多相変圧器９０を上方から見た平面図である。多相変圧器７０は、各部分及び全体のサイズに関する点を除き、全般的な構造は、図１Ａの多相変圧器１１と同様である。すなわち、多相変圧器９０は、図７Ｂの平面視において六角形状の外形を有する外周部鉄心９１と、外周部鉄心９１の内側に配置された三つの鉄心コイル９５〜９７とを有する。三つの鉄心コイル９５〜９７は、同一のサイズ及び形状を有し、図７Ｂの平面視において、外周部鉄心９１の中心の周りの円周方向において等間隔に配置されている。三つの鉄心コイル９５〜９７は、それぞれ、鉄心９５ａ〜９７ａと、鉄心９５ａ〜９７ａに巻回されたコイル９５ｂ〜９７ｂとを有する。各コイル９５ｂ〜９７ｂは、１次コイル及び２次コイルの両方を含み得る。３つの鉄心コイル９５〜９７は、外周部鉄心９１の内側に、外周部鉄心９１に取り囲まれるように配置されている。
【００１７】
本実施形態にかかる多段構造多相変圧器１０の各相と、比較例の多相変圧器９０の各相が同じ巻き数を有し、三相変圧器として同等の性能を有する場合について考える。この場合、本実施形態にかかる多段構造多相変圧器１０では各相のコイルが上下２段構成となっている為、コイル長Ｌ1を、多相変圧器９０におけるコイル長Ｌ0と比較して概ね１／２の長さに低減することができる（図１Ａ及び１Ｂ、図７Ａ及び図７Ｂ参照）。したがって、多段構造多相変圧器１０を上方から見た場合の六角形状の外形により規定される接地面積を、比較例の多相変圧器９０を上方から見た場合の六角形状の外形により規定される接地面積と比較して、コイル長の低減に相当する分量の低減を実現することができる。別の表現では、図１Ｂの平面視における多段構造多相変圧器１０の六角形の外形の外接円Ｄ1の半径ｒ1について、図７Ｂの平面視における比較例の多相変圧器９０の六角形の外形の外接円Ｄ0の半径ｒ0と比較して、コイル長の低減に相当する分量の低減を実現することができる。
【００１８】
図８に、多相変圧器９０における各相の１次側と２次側の電磁的な結合のイメージ図を示す。図２と図８とを対比することによって、本実施形態にかかる多段構造多相変圧器１０の各相における１次側と２次側の電磁的な結合の状態をよりいっそう理解できるであろう。
【００１９】
次に、本実施形態にかかる多段構造多相変圧器１０を１つの製品として組み立てる場合の組立て構造の例について図３Ａ及び図３Ｂを参照して説明する。図３Ａは、多段構造多相変圧器１０を筐体フレーム２００に組み付けた状態を表す斜視図であり、図３Ｂは、多段構造多相変圧器１０を筐体フレーム２００に組み付けた状態を表す側面図である。多段構造多相変圧器１０を筐体フレーム２００に組み付ける場合、図３Ａ及び３Ｂに示すように、上段の多相変圧器１１を第１上部プレート１０１と第１下部プレート１０２との間に挟んだ状態でボルト１３１で固定する。また、下段の多相変圧器２１は、第２上部プレート２０１と第２下部プレート２０２との間に挟んだ状態でボルト１３１で固定する。
【００２０】
第１下部プレート１０２の図３Ａ中の左斜め上側の側面と右斜め下側の側面は、下方に伸びるように形成され、１対の側壁面２５１、２５２を構成している。第２下部プレート２０２の図３Ａ中の左斜め上側の側面と右斜め下側の側面は、図３Ｂのように上段の多相変圧器１１の各コイルの下面と下段の多相変圧器２１の各コイルの上面の間に隙間ができる状態で、１対の側壁面２５１、２５２にそれぞれ固定される。以上のように、多段構造多相変圧器１０が固定フレーム２００に組み付けられる。
【００２１】
図４は、上述の多段構造多相変圧器１０の三相変圧器としての使用例を示す図である。図４に示されるように、多段構造多相変圧器１０は三相交流電源ＰＳの下流に配置することができる。
【００２２】
本実施形態では、上段の多相変圧器１１と下段の多相変圧器２１は、同じサイズ及び形状を有する。このように同じサイズ及び形状の多相変圧器を多段に積み上げる構成とすることで、上下の多相変圧器の磁束のアンバランスが生じないようにすることが可能となる。ただし、本発明の構成はこのような例に限定されるものではない。
【００２３】
第２実施形態
上述の第１実施形態では、各層の多相変圧器（１１，２１）は外周部鉄心の内側に３つの鉄心コイルを有する構成であったが、外周部鉄心の内側に配置する鉄心コイルの数は上述の第１実施形態の例に限られない。図５は、多段構造多相変圧器を構成する各層の多相変圧器が、６つの鉄心コイルを有する場合の構成例を示している。図５は、多段構造多相変圧器の一つの層を構成する多相変圧器５０を水平方向に平行な面で切断した場合の断面図を示している。図５に示される多相変圧器５０は、平面視において六角形の外形を有する外周部鉄心４０と、外周部鉄心４０の内側に配置された六つの鉄心コイル３１〜３６とを有する。６つの鉄心コイル３１〜３６は、それぞれ、鉄心（脚部鉄心）４１〜４６と、鉄心４１〜４６に巻回されたコイル５１〜５６とを有する。六つの鉄心コイル３１〜３６は、同一の形状及びサイズを有し、外周部鉄心４０の内側において、外周部鉄心４０の中心部Ｐの周りの周方向において等間隔に配置されている。
【００２４】
このように、多相変圧器５０が３の倍数の鉄心コイルを有する場合、多相変圧器５０を三相変圧器として用いることができる。この場合、各コイルを直列或いは並列で接続することができる。第２実施形態の多段構造多相変圧器は、第１実施形態の場合と同様に多相変圧器５０を上下に２段以上重ねることによって構成される。第１実施形態の場合と同様に、上下に重なるコイルは直列に接続される。各層の多相変圧器５０が図５の構成を有する場合にも、接地面積に関して図１Ａ、１Ｂに示した多段構造多相変圧器１０と同様の効果を得ることができる。
【００２５】
第３実施形態
上述の第１実施形態では、多段構造電磁機器における各層を構成する変圧器（１１，２１）は外周部鉄心の内側に３つの鉄心コイルを有する構成であったが、各層を構成する変圧器は図６に示すように四つの鉄心コイルを有する構成であっても良い。この構成の場合には、各層の変圧器を単相変圧器として機能させることができる。図６は、多段構造の単相変圧器の一つの層を構成する単相変圧器５０ａを水平方向に平行な面で切断した場合の断面図を示している。図６に示される単相変圧器５０ａは、平面視において六角形の外形を有する外周部鉄心４０ａと、外周部鉄心４０ａの内側に配置された四つ鉄心コイル３１ａ〜３４ａとを有する。四つの鉄心コイル３１ａ〜３４ａは、それぞれ、鉄心（脚部鉄心）４１ａ〜４４ａと、鉄心４１ａ〜４４ａに巻回されたコイル５１ａ〜５４ａとを有する。四つ鉄心コイル３１ａ〜３４ａは、同一の形状及びサイズを有し、外周部鉄心４０ａの内側において、外周部鉄心４０ａの中心部Ｐの周りの周方向において等間隔に配置されている。
【００２６】
図６のように４つ以上の偶数の鉄心コイルを有するように各層の変圧器を構成することで、各層の変圧器を単相変圧器として用いることができる。一例として、図６における左右方向の一組の鉄心コイル３２ａ、３４ａで一つの単相変圧器を構成し、また、図６における上下方向の一組の鉄心コイル３１ａ，３３ａで一つの単相変圧器を構成することができる。
【００２７】
第３実施形態の多段構造単相変圧器は、第１実施形態の場合と同様に単相変圧器５０ａを上下に２段以上重ねることによって構成される。第１実施形態の場合と同様に、上下に重なるコイルは直列に接続される。各層の単相変圧器が図６の構成を有する場合にも、接地面積に関して図１Ａ、１Ｂに示した多段構造多相変圧器１０と同様の効果を得ることができる。
【００２８】
以上、典型的な実施形態を用いて本発明を説明したが、当業者であれば、本発明の範囲から逸脱することなしに、上述の各実施形態に変更及び種々の他の変更、省略、追加を行うことができるのを理解できるであろう。
【００２９】
上述の第１実施形態では、変圧器を上下に２段に積み重なる構成例を示したが、変圧器を積み重ねる段数は３段以上であっても良い。
【００３０】
外周部鉄心の内側に周方向に配置する鉄心コイルの数は上述の例に限られない。外周部鉄心の内側に３以上の様々な数の鉄心コイルを有する変圧器を構成することができる。
【００３１】
上述の第１実施形態では、図１Ｂに示されるように鉄心コイル１５〜１７の鉄心１５ａ〜１７ａの中心部Ｐ側の先端部同士は互いに密着しているが、鉄心１５ａ〜１７ａの先端部同士はギャップを介して結合される構成であっても良い。
【００３２】
各層の変圧器を構成する鉄心は、分割されておらず、一体的な構造を有していても良い。また、鉄心の製法も、複数の鉄板の積層によるもの以外にも、当分野で知られた様々な製法を用いることができる。
【００３３】
また、本開示の課題を解決するために、以下のような各種の態様とその効果を提供することができる。なお、以下の態様の説明文における括弧内の番号は本開示の図面の参照符号に対応する。
【００３４】
例えば、本開示の第一態様は、多段に積み上げられた複数の電磁部品（１１，２１）を具備し、前記複数の電磁部品（１１，２１）のそれぞれは、外周部鉄心（１９）と、前記外周部鉄心（１９）の内面側において周方向に間隔をおいて配列された少なくとも三つの脚部鉄心（１５a〜１７ａ）と、前記少なくとも三つの脚部鉄心（１５ａ〜１７ａ）のそれぞれに巻き回されたコイル（１５ｂ〜１７ｂ）と、を有し、前記少なくとも三つの脚部鉄心（１５a〜１７ａ）のそれぞれは、前記コイルの巻き軸線の方向における一方の端部が前記外周部鉄心（１９）に磁気的に結合されると共に、前記巻き軸線の方向における他方の端部が、前記少なくとも三つの脚部鉄心のうちの他の脚部鉄心における前記他方の端部に磁気的に結合するように配置され、前記多段に積み上げられた前記複数の電磁部品（１１，２１）のうち一つの段の電磁部品（１１）の前記少なくとも三つの脚部鉄心に巻回されたコイル（１５ｂ〜１７ｂ）と、前記多段に積み上げられた前記複数の電磁部品のうち他の段の電磁部品（２１）の前記少なくとも三つの脚部鉄心に巻回されたコイルは、それぞれ直列に接続されている、多段構造電磁機器（１０）である。
【００３５】
上記第一態様によれば、電磁機器として、コイルからの漏れ磁束を抑制できると共に、設置面積も低減することが可能である。
【００３６】
また、本開示の第二態様は、上記第一態様の多段構造電磁機器（１０）であって、前記一つの段の電磁部品（１１）の前記少なくとも三つの脚部鉄心の数と、前記他の段の電磁部品（２１）の前記少なくとも三つの脚部鉄心の数とは同数である。
【００３７】
また、本開示の第三態様は、上記第一態様又は第二態様の多段構造電磁機器（１０）であって、前記複数の電磁部品（１１，２１）は、前記外周部鉄心（１９）及び前記少なくとも三つの脚部鉄心（１５ａ〜１７ａ）の形状及びサイズ、及び、前記コイル（１５ｂ〜１７ｂ）の巻き数に関し同一の構成である。
【００３８】
また、本開示の第四態様は、上記第一態様から第三態様のいずれかの多段構造電磁機器（１０）であって、前記複数の電磁部品（１１，２１）のそれぞれは、前記少なくとも三つの脚部鉄心のコイル（１５ｂ〜１７ｂ）の前記巻き軸線（ｌ0）が同一平面内に含まれるように構成され、前記複数の電磁部品（１１，２１）は、前記同一平面と垂直な方向に沿って見たときに互いに重なり合うように積み上げられている。
【００３９】
また、本開示の第五態様は、上記第一態様から第四態様のいずれかの多段構造電磁機器（１０）であって、前記複数の電磁部品（１１，２１）のそれぞれにおける前記少なくとも三つの脚部鉄心の数は３の倍数である。
【００４０】
また、本開示の第六態様は、上記第一態様から第四態様のいずれかの多段構造電磁機器であって、前記複数の電磁部品（５０Ａ）のそれぞれにおける前記少なくとも三つの脚部鉄心の数は４以上の偶数である。
【００４１】
また、本開示の第七態様は、上記第一態様から第六態様のいずれかの多段構造電磁機器（１０）であって、前記コイルは、１次コイル及び２次コイルの少なくとも一方を含む。
【００４２】
また、本開示の第八態様は、上記第一態様から第七態様のいずれかの多段構造電磁機器（１０）であって、前記複数の電磁部品（１１，２１）は変圧器を構成する。
【符号の説明】
【００４３】
９    鉄心部分
１０    多段構造多相変圧器
１１    多相変圧器
１５，１６，１７  鉄心コイル
１５ａ，１６ａ，１７ａ  鉄心
１５ｂ，１６ｂ，１７ｂ  コイル
１９    外周部鉄心
２１    多相変圧器
２７ｂ  コイル
３１〜３６  鉄心コイル
３１ａ〜３４ａ  鉄心コイル
４１〜４６  鉄心
４１ａ〜４４ａ  鉄心
５１〜５６  コイル
５１ａ〜５４ａ  コイル
４０    外周部鉄心
５０    多相変圧器
５０Ａ  多相変圧器
１０１  第１上部プレート
１０２  第１下部プレート
２００  筐体フレーム
２０１  第２上部プレート
２０２  第２下部プレート
２５１，２５２  側壁面
【図１Ａ】
2019165145.tif 000003
【図１Ｂ】
2019165145.tif 000004
【図２】
2019165145.tif 000005
【図３Ａ】
2019165145.tif 000006
【図３Ｂ】
2019165145.tif 000007
【図４】
2019165145.tif 000008
【図５】
2019165145.tif 000009
【図６】
2019165145.tif 000010
【図７Ａ】
2019165145.tif 000011
【図７Ｂ】
2019165145.tif 000012
【図８】
2019165145.tif 000013